(57)【要約】【課題】交換レンズの着脱動作を煩雑にすることなく、交換レンズユニット内の発熱をカメラ本体へ効率良く伝導して放熱する、撮像素子一体型レンズ交換式カメラを提供する。【解決手段】撮像素子一体型レンズ交換式カメラ１０において、交換レンズユニット１２のカメラ本体嵌合部２０に、レンズユニット内のＣＣＤ４４と伝熱部９２を介して弾性を以って密着して当接する伝熱性弾性部材９４を配設する。交換レンズユニット１２がカメラ本体１４へ装着されると、伝熱性弾性部材９４がカメラ本体１４のレンズユニット嵌合部２２に配設された伝熱部９６へ弾性を以って当接し、ＣＣＤ４４及び基板９０等による発熱は、伝熱部９２及び伝熱性弾性部材９４を介しカメラ本体１４の伝熱部９６及び放熱フィン９８及び冷却装置１００へ伝導され効率良く放熱される。【選択図】      図３
2006086752.tif 000002
【特許請求の範囲】
【請求項１】
レンズと撮像素子を有するレンズユニットと、
前記レンズユニットを着脱自在なレンズユニット接続部を有するカメラ本体と、
前記レンズユニットが前記レンズユニット接続部を介して前記カメラ本体に装着されたときに、前記レンズユニット及び前記カメラ本体に弾性を以って当接し、前記レンズユニットによる発熱を前記カメラ本体へ伝導する伝熱性弾性部材と、
を備えた撮像素子一体型レンズ交換式カメラ。
【請求項２】
前記レンズユニットが前記撮像素子を当接して搭載する基板を有するとともに、
前記伝熱性弾性部材は、一方の面で前記基板と直接又は伝熱部を介して当接し、他方の面で前記カメラ本体と当接する、
請求項１に記載の撮像素子一体型レンズ交換式カメラ。
【請求項３】
前記レンズユニットが前記撮像素子と接続される基板を有するとともに、
前記伝熱性弾性部材は、一方の面で前記撮像素子と直接又は伝熱部を介して当接し、他方の面で前記カメラ本体と当接する、
請求項１に記載の撮像素子一体型レンズ交換式カメラ。
【請求項４】
前記伝熱性弾性部材は、前記レンズユニットが前記レンズユニット接続部に装着されたときに前記レンズユニットと前記カメラ本体表面とが当接するマウント当接部に、配設された、
請求項１、２、または３に記載の撮像素子一体型レンズ交換式カメラ。
【請求項５】
前記伝熱性弾性部材が前記レンズユニットに配設された、
請求項１、２、３、または４に記載の撮像素子一体型レンズ交換式カメラ。
【請求項６】
前記伝熱性弾性部材が前記カメラ本体に配設された、
請求項１、２、３、または４に記載の撮像素子一体型レンズ交換式カメラ。
【請求項７】
前記伝熱性弾性部材が前記レンズユニット又は前記カメラ本体の少なくとも一方と着脱自在に形成された、
請求項１、２、３、または４に記載の撮像素子一体型レンズ交換式カメラ。
【請求項８】
前記カメラ本体に配設され、カメラ内温度を所定範囲内に保つためのヒートシンクまたは冷却ファンのうち少なくとも一方を備えた、
請求項１乃至７のいずれかに記載の撮像素子一体型レンズ交換式カメラ。
【請求項９】
レンズと撮像素子と前記撮像素子を搭載する基板を有しカメラ本体に着脱自在に装着されるレンズユニットにおいて、
前記レンズユニットに、前記基板と直接又は発熱を伝導するための伝熱部を介して当接する伝熱性弾性部材を配設し、前記レンズユニットを前記カメラ本体に装着したときに前記伝熱性弾性部材が前記カメラ本体へ弾性を以って当接可能にしたことを特徴とする、撮像素子一体型レンズ交換レンズユニット。
【請求項１０】
レンズと、撮像素子と、前記撮像素子と接続される基板を有し、カメラ本体に着脱自在に装着されるレンズユニットにおいて、
前記レンズユニットに、前記撮像素子と直接又は発熱を伝導するための伝熱部を介して当接する伝熱性弾性部材を配設し、前記レンズユニットを前記カメラ本体に装着したときに、前記伝熱性弾性部材が前記カメラ本体へ弾性を以って当接可能にしたことを特徴とする、撮像素子一体型レンズ交換レンズユニット。
【請求項１１】
カメラ本体は、前面に前記レンズユニットを着脱自在なレンズユニット接続部を有するとともに背面に表示モニタを有する、
請求項１乃至８のいずれかに記載の撮像素子一体型レンズ交換式カメラ。
【発明の詳細な説明】
【技術分野】
【０００１】
本発明はレンズ交換式カメラに係り、特に交換レンズユニットに撮像素子が内蔵されたレンズ交換式カメラに関する。
【背景技術】
【０００２】
近年、撮影レンズと撮像素子が組み込まれたレンズユニットを着脱自在に交換できるレンズ交換式のカメラが提案されている。このようなレンズ交換式カメラにおいては、レンズユニットがカメラに装着された後、給電を受けて駆動されると撮像素子や基板等が発熱する。そこでカメラ内の温度を所定範囲内に保つため、レンズユニット着脱動作に支障をきたさず効率的に放熱できる放熱機構を備えることが望ましい。また、各種レンズユニットにおいては搭載される撮像素子や基板等の素材特性により発熱量が変化するため、各種レンズユニットの発熱量に応じた放熱機構を備えることが望ましい。
【０００３】
ところで従来、固体撮像素子の発する熱を放熱するために各種放熱機構が考案されてきた。例えば特許文献１によると、固体撮像素子に密着した放熱板が撮像素子を駆動するための回路基板を取り囲む形状に配設された画像読取装置が考案されている。また特許文献２によれば、撮像素子に冷却素子を取り付け、その冷却素子放熱面に伝熱性材料で形成された伝熱板を密着させ、更にその伝熱板表面に薄い銅板等を曲げ加工した放熱板を密着させ、放熱板をカメラ筐体に密着ネジ止めする固体撮像素子冷却機構が考案されている。
【特許文献１】特開平８−１３９８７１号公報
【特許文献２】特開平９−３７１６１号公報
【発明の開示】
【発明が解決しようとする課題】
【０００４】
しかしながら、上記の放熱機構に関する技術はカメラのレンズ交換について配慮されていないため、上記の放熱機構に関する技術を前記撮像素子一体型レンズ交換式カメラに適用しようとすると、カメラ本体の構造またはレンズユニットの構造の複雑化や大型化を招きレンズユニット着脱動作が煩雑になるという欠点がある。例えば、レンズユニットは通常密閉されているため、その内部に上記放熱機構を配設して前記レンズユニット内で放熱を完遂させることは非効率的であり、装置の大型化を招いてしまう。
【０００５】
本発明はこのような事情に鑑みてなされたもので、各種レンズユニットがカメラ本体に装着され駆動使用されたときにレンズユニット内で発生した熱を、レンズユニット着脱動作に支障をきたすことなく簡便に、効率良くレンズユニット外に放熱可能であるとともに、簡素な構造でコンパクトな撮像素子一体型レンズ交換式カメラ、及び、撮像素子一体型レンズユニットを提供することを目的とする。
【課題を解決するための手段】
【０００６】
請求項１に係る発明は、前記目的を達成するために、レンズと撮像素子を有するレンズユニットと、前記レンズユニットを着脱自在なレンズユニット接続部を有するカメラ本体と、前記レンズユニットが前記レンズユニット接続部を介して前記カメラ本体に装着されたときに、前記レンズユニット及び前記カメラ本体に弾性を以って当接し、前記レンズユニットによる発熱を前記カメラ本体へ伝導する伝熱性弾性部材と、を備えた撮像素子一体型レンズ交換式カメラを提供する。
【０００７】
本発明によれば、レンズユニットがカメラ本体に装着使用されると、伝熱性弾性部材が前記レンズユニットと前記カメラ本体に当接し、前記レンズユニット中の撮像素子による発熱をレンズユニットからカメラ本体へ伝導する。これにより、レンズユニットがカメラ本体へ装着使用されたときに、装着操作に支障をきたすことなく簡便にレンズユニットからカメラ本体へ熱伝導を行い放熱することができる。
【０００８】
また請求項２に係わる発明は、前記目的を達成するために、前記レンズユニットが前記撮像素子を当接して搭載する基板を有するとともに、前記伝熱性弾性部材は、一方の面で前記基板と直接又は伝熱部を介して当接し、他方の面で前記カメラ本体と当接する、請求項１に記載の撮像素子一体型レンズ交換式カメラを提供する。
【０００９】
本発明によれば、レンズユニットがカメラ本体に装着使用されると、伝熱性弾性部材は一方の面で基板と直接又は伝熱部を介して弾性をもって当接するとともに、他方の面で前記カメラ本体と当接し、前記レンズユニット中の撮像素子及び基板等による発熱を前記カメラ本体へ伝導する。これにより伝熱性弾性部材は発熱源及び放熱先へ当接し、レンズユニットからカメラ本体へ効率良く熱伝導を行い放熱することができる。
【００１０】
また、請求項３に係わる発明は、前記目的を達成するために、前記レンズユニットが前記撮像素子と接続される基板を有するとともに、前記伝熱性弾性部材は、一方の面で前記撮像素子と直接又は伝熱部を介して当接し、他方の面で前記カメラ本体と当接する、
請求項１に記載の撮像素子一体型レンズ交換式カメラを提供する。
【００１１】
本発明によれば、レンズユニットがカメラ本体に装着使用されると、伝熱性弾性部材は一方の面で前記撮像素子と直接又は伝熱部を介して当接するとともに、他方の面で前記カメラ本体と当接し、前記レンズユニット中の撮像素子及等による発熱を前記レンズユニットから前記カメラ本体へ伝導する。これにより、撮像素子は基板と接続しているが基板上には実装されない場合においても、伝熱性弾性部材が発熱源及び放熱先へ当接し、レンズユニットからカメラ本体へ効率良く熱伝導を行い放熱することができる。
【００１２】
また請求項４に係わる発明は、前記目的を達成するために、前記伝熱性弾性部材は、前記レンズユニットが前記レンズユニット接続部に装着されたときに前記レンズユニットと前記カメラ本体表面とが当接するマウント当接部に、配設された請求項１、２、または請求項３に記載の撮像素子一体型レンズ交換式カメラを提供する。
【００１３】
本発明によれば、伝熱性弾性部材はレンズユニット及びカメラ本体のマウント当接部の一部を構成し、レンズユニット内の発熱をカメラ本体へ伝導する。これにより、レンズユニットからカメラ本体へ伝熱するときのレンズ光軸方向の伝熱経路を短くし、カメラ本体の光軸方向の厚みを減じてカメラの薄型化をはかることができる。
【００１４】
また請求項５に係わる発明は、前記目的を達成するために、前記伝熱性弾性部材が前記レンズユニットに配設された、請求項１、２、３または４に記載の撮像素子一体型レンズ交換式カメラを提供する。
【００１５】
本発明によれば、伝熱性弾性部材はレンズユニットと一体となる。これにより、部品点数を減じ、カメラ本体へのレンズユニットの装着操作を簡易にすることができる。また、各種レンズユニットに搭載した撮像素子または基板または伝熱部等の特性に適した伝熱性弾性部材を配接し、レンズユニットからカメラ本体へ効率良く熱伝導が行われるようにすることができる。
【００１６】
また請求項６に係わる発明は、前記目的を達成するために、前記伝熱性弾性部材が前記カメラ本体に配設された、請求項１、２、３または４に記載の撮像素子一体型レンズ交換式カメラを提供する。
【００１７】
本発明によれば、伝熱性弾性部材はカメラ本体と一体となる。これにより、カメラの部品点数を減じ、カメラ本体へのレンズユニットの装着操作を簡易にすることができる。また、カメラ本体またはカメラ本体に設けられた伝熱部またはカメラ本体に設けられたレンズユニット接続部の形状もしくは素材の特性に応じた伝熱性弾性部材を配接し、レンズユニットからカメラ本体へ効率良く熱伝導が行われるようにすることができる。
【００１８】
また請求項７に係わる発明は、前記目的を達成するために、前記伝熱性弾性部材が前記レンズユニット又は前記カメラ本体の少なくとも一方と着脱自在に形成された、請求項１、２、３または４に記載の撮像素子一体型レンズ交換式カメラを提供する。
【００１９】
本発明によれば、伝熱性弾性部材はレンズユニット又は前記カメラ本体の少なくとも一方と着脱可能に一体となる。これにより、カメラの部品点数を減じカメラ本体へのレンズユニットの装着を簡易にするとともに、各種の伝熱性弾性部材のうち適当なものを選択または交換して使用することができる。
【００２０】
また請求項８に係わる発明は、前記目的を達成するために、前記カメラ本体内に配設され、カメラ内温度を所定範囲内に保つためのヒートシンクまたは冷却ファンのうち少なくとも一方を備えた、請求項１乃至７のいずれかに記載の撮像素子一体型レンズ交換式カメラを提供する。
【００２１】
本発明によれば、ヒートシンクまたは冷却ファンはカメラ本体の伝熱性放熱部からの放熱を冷却又は循環放熱する。これにより、より効率的にカメラ内部の温度を所定範囲に保つことができる。
【００２２】
また請求項９に係わる発明は、前記目的を達成するために、レンズと撮像素子と前記撮像素子を搭載する基板を有しカメラ本体に着脱自在に装着されるレンズユニットにおいて、前記レンズユニットに、前記基板と直接又は発熱を伝導するための伝熱部を介して当接する伝熱性弾性部材を配設し、前記レンズユニットを前記カメラ本体に装着したときに前記伝熱性弾性部材が前記カメラ本体へ弾性を以って当接可能にしたことを特徴とする、レンズユニットを提供する。
【００２３】
本発明によれば、レンズユニットは伝熱性弾性部材を介しカメラ本体に弾性をもって当接する。これにより伝熱性弾性部材は撮像素子や基板等の発熱源、及び、放熱先であるカメラ本体へ当接し、レンズユニットからカメラ本体へ効率良く熱伝導を行うことができる。
【００２４】
また請求項１０に係わる発明は、前記目的を達成するために、レンズと、撮像素子と、前記撮像素子と接続される基板を有し、カメラ本体に着脱自在に装着されるレンズユニットにおいて、前記レンズユニットに、前記撮像素子と直接又は発熱を伝導するための伝熱部を介して当接する伝熱性弾性部材を配設し、前記レンズユニットを前記カメラ本体に装着したときに、前記伝熱性弾性部材が前記カメラ本体へ弾性を以って当接可能にしたことを特徴とする、レンズユニットを提供する。
【００２５】
本発明によれば、撮像素子が基板と接続しているが基板上には実装されない場合においても、伝熱性弾性部材が撮像素子等の発熱源、及び、放熱先であるカメラ本体へ当接し、レンズユニットからカメラ本体へ効率良く熱伝導を行い放熱することができる。
【００２６】
また請求項１１に係わる発明は、前記目的を達成するために、カメラ本体は、前面に前記レンズユニットを着脱自在なレンズユニット接続部を有するとともに背面に表示モニタを有する、請求項１乃至８のいずれかに記載の撮像素子一体型レンズ交換式カメラ、を提供する。
【００２７】
本発明によれば、レンズユニットの発熱に加え、カメラ本体背面に配設された表示モニタによる発熱も伝熱性弾性部材へ伝導することができる。これにより、カメラの誤作動率を更に低減することができる。
【００２８】
また、前述の一連の発明において、伝熱性弾性部材が当接する面は、密着する面でも良いし、網目状等の不連続な点で構成された面でも良い。
【発明の効果】
【００２９】
本発明によると、レンズユニットがカメラ本体に装着使用されたときに、伝熱性弾性部材が前記レンズユニットと前記カメラ本体に当接し、前記レンズユニット中の撮像素子および基板等による発熱をレンズユニットからカメラ本体へ伝導するので、レンズ装着に支障をきたすことなく、簡便に効率良く熱伝導を行い放熱することができる。
【００３０】
また本発明は、防塵または防水仕様等のために密閉され高温になりやすいレンズユニットの放熱に特に効果的である。
【発明を実施するための最良の形態】
【００３１】
以下添付図面に従って、本発明に係わる撮像素子一体型レンズ交換式カメラ及び撮像素子一体型交換レンズユニットの好ましい実施の形態について詳説する。
【００３２】
図１は、本発明に係る撮像素子一体型レンズ交換式カメラ１０の一実施形態の外観構成を示す斜視図である。
【００３３】
同図に示すように、このカメラ１０は撮像素子一体型交換レンズユニット１２（以下レンズユニット１２と称する）とカメラ本体１４とで構成される。レンズユニット１２はカメラ本体１４に対して着脱自在に設けられており、カメラ本体１４の正面に設けられたレンズユニット接続部１６に装着されてカメラ本体１４と一体化される。ここで、レンズユニット１２は、その内部に撮影レンズ等を配設してカメラ本体１４の表面から突出する円筒状に形成された鏡筒部１８と、カメラ本体１４へ嵌合する前記鏡筒の外周より小さい外周を有するように円筒状に形成されたカメラ本体嵌合部２０とから構成され、カメラ本体１４へ装着されたときには、鏡筒部１８とカメラ本体嵌合部２０との境面にあるマウント当接部２４がカメラ本体１４の表面と当接する。また一方、レンズユニット接続部１６は、カメラ本体１４の表面から凹状に設けられ、レンズユニット１２を嵌合するレンズユニット嵌合部２２とカメラ本体１４上の表面上に設けられレンズユニット１２と当接するマウント当接部２６とで構成されている。なお、図１上で、３０はレリーズスイッチ、３２はモード切換スイッチ、３４はストロボである。
【００３４】
図２は、本発明に係わる撮像素子一体型レンズ交換式カメラ及び撮像素子一体型交換レンズユニットの一実施形態を示すブロック図である。同図に示すように、レンズユニット１２には主として、撮影レンズ４２、固体撮像素子（ＣＣＤ）４４、絞り／フォーカス／ズーム制御部４６、Ａ／Ｄ変換器を含むアナログ処理回路４８、タイミングジェネレータ５０、システムメモリ（ＲＯＭ／ＲＡＭ）５２、シリアルドライバ５４、マウント接点５６が備えられている。またカメラ本体１４には主として、マウント接点６０、シリアルドライバ６２、中央処理回路（ＣＰＵ）６４、システムメモリ（ＲＯＭ／ＲＡＭ）６６、デジタル信号処理回路６８、メモリカード装着用Ｉ/Ｆ７０、メモリカードスロット７２、ＬＣＤ表示部７４、冷却用ファン用ドライバ７６、及び冷却ファン７８が備えられている。また、図示しないが、カメラ本体１４にはストロボ制御部、ＬＣＤモニタ、電源部、操作部等（電源スイッチ、レリーズスイッチ、上／下キー、左／右キー、実行キーなどの各種キー及びスイッチ等）が設けられている。
【００３５】
そして、レンズユニット１２がカメラ本体１４に装着され、マウント接点５６及び６０を介して電気的に接続されると、撮像素子一体型レンズ交換式カメラ１０は次のように作動する。
【００３６】
まず、カメラ本体１４に設けられた図示しない電源スイッチが入れられると、カメラ本体１４内のＣＰＵ６４がこれを検知し、シリアルドライバ６２及び５４を介してレンズユニット１２のシステムメモリ５２から制御プログラムをロードするとともにレンズユニット１２の調整に必要な各種データを読み出してカメラ本体１４のシステムメモリ６６に格納する。
【００３７】
ここで、上述したレンズユニット１２のシステムメモリ５２に保存されている制御プログラムとはＣＣＤ４４、ＣＣＤ駆動用のタイミングジェネレータ５０などの制御方法やデジタル信号処理回路６８での処理方法を示した制御プログラム及びレンズユニット冷却用ファンの制御方法等であり、撮像素子一体型交換レンズユニット１２の調整に必要な各種データとは、レンズユニット固有の調整値など撮影部の制御や画像信号処理に必要な各種データ（具体的には、ＣＣＤ４４の欠陥情報、画素数、カラーフィルタ配列、色バランス、及び感度などのＣＣＤ特性データ、撮影レンズ４２のレンズ特性（シェーディング、歪み等）等のデータ）である。
【００３８】
また一方、ＣＰＵ６４はシステムメモリ６６に記憶した前記制御プログラム及びデータに基づいて撮像素子一体型レンズ交換式カメラ１０の各回路を統括・制御するもので、レンズユニット１２の制御を行うとともに、デジタル信号処理回路６８においてレンズユニット１２固有の情報に対応した適切な信号処理が施されるように制御する。また前記ＣＰＵ６４はカメラ本体１４に設けられた図示しないレリーズスイッチからの入力信号により撮影を行うための制御、メモリカード８０への読み書き制御等を行う。
【００３９】
すなわち、レリーズスイッチが半押しされると、ＣＰＵ６４はシリアルドライバ６２及び５４とマウント接点６０及び５６を介して絞り／フォーカス／ズーム制御部４６に制御信号を出し、撮影レンズ４２を合焦位置に移動させる。そして、レリーズスイッチが全押しされ所定の露出値になると、絞り／フォーカス／ズーム制御部４６に制御信号を出力し、ＣＣＤ４４の受光面に被写体像を結像させる。
【００４０】
ＣＣＤ４４の受光面に結像した被写体像は、ここで光電変換されて画像信号として順次読み出される。この画像信号は、ゲインコントロール（ＧＣ）回路、色バランス調整回路及びＡ／Ｄ変換器等を含むアナログ処理回路４８に加えられ、ここで所定の処理を経た後にデジタル信号に変換され、シリアルドライバ５４及び６２を介してカメラ本体１４のデジタル信号処理回路６８に転送される。
【００４１】
デジタル信号処理回路６８は、輝度信号生成回路、色差信号生成回路、ガンマ補正回路、圧縮／伸長回路、メモリコントローラ等を含み、これらの回路によって処理された画像データは、メモリカードスロット７２に装着されているメモリカード８０に記録される。
【００４２】
メモリカード８０に保存された画像データはＣＰＵ６４の制御によって読み出すことが可能で、デジタル信号処理回路６８において伸長処理が施された後、ＬＣＤ表示部７４に出力される。
【００４３】
以上のように、撮像素子一体型レンズ交換式カメラ１０は、レンズユニット１２がカメラ本体１４のレンズユニット接続部１６に装着され、マウント接点５８及び６０を介して電気的に接続されると、撮影が可能になるとともに映像信号及び制御信号の送受信が行われる。
【００４４】
ここで、前記撮影が可能になった状態においては、レンズユニット１２のＣＣＤ４４はマウント接点５６及び６０を介してカメラ本体１４から給電されて発熱し、レンズユニット１２内各部の温度が所定以上に達した場合には、撮像素子一体型交換レンズユニット１２の電気特性の劣化等により、撮像素子一体型レンズ交換式カメラ１０が正常に作動しないという問題を生じる。例えば、ＣＣＤ４４における高温時の暗電流増大によるノイズ増大等である。
【００４５】
そこで、レンズユニット１２とカメラ本体１４が電気的に接続されたときに、レンズユニット１２内の前記ＣＣＤ４４による発熱をカメラ本体１４へ効率良く伝熱して放熱させることにより、レンズユニット１２内の各部の電気特性が劣化するのを防止する。
【００４６】
図３は、上記問題を解決するための本発明に係わる撮像素子一体型レンズ交換式カメラ及び撮像素子一体型交換レンズユニットの、第１の実施形態の要部を示す断面図である。
同図及び図１、図２に示すように、撮像素子一体型レンズ交換式カメラ１０は、レンズユニット１２がカメラ本体１４にレンズユニット接続部１６を介して装着されるよう構成される。ここでレンズユニット１２は、鏡筒部１８とカメラ本体嵌合部２０とで構成され、その内部には主として、撮像レンズ４２、ＣＣＤ４４、前記ＣＣＤ４４を実装する基板９０、基板９０に当接し熱伝導を行う伝熱部９２、前記伝熱部９２に弾性を以って密着して当接し熱伝導を行うとともにカメラ本体嵌合部２０のカメラ本体１４への当接面に配設される伝熱性弾性部材９４を備えている。
【００４７】
また一方、カメラ本体１４は、略筐体状の表面に凹状のレンズユニット嵌合部２２が設けられると共に、レンズユニット嵌合部２２は伝熱を行う伝熱部９６で覆うように形成され、その内部には主として、伝熱部９６と放熱フィン９８から構成されるヒートシンク、伝熱部９６に当接し伝導熱を冷却する冷却装置１００、デジタル信号処理回路６８等が搭載された基板１０２、ＬＣＤ表示部７４、ストロボ制御部１０４などを備えている。そして、レンズユニット１２がカメラ本体１４に装着されると、レンズユニット１２のカメラ本体嵌合部２０に配設された伝熱性弾性部材９４は、カメラ本体１４のレンズユニット嵌合部２２に配設された伝熱部９６に、弾性を以って密着して当接する。
【００４８】
以上のように構成された本実施の形態の撮像素子一体型レンズ交換式カメラ１０は、レンズユニット１２のカメラ本体嵌合部２０がカメラ本体１４のレンズユニット嵌合部２２に嵌合して装着され、マウント接点５６及び６０（図２にのみ図示）を介し電気的に接続されると、次のように作動する。
【００４９】
まず、カメラ本体１４に配設されたＣＰＵ６４が電気的接続を検知し、レンズユニット１２内に配設されたシステムメモリ５２からレンズユニット１２の調整に必要な各種データを読み出すとともに、冷却装置１００の制御プログラムをロードしてカメラ本体１４のシステムメモリ６６に格納し、レンズユニット１２の制御と共に冷却装置１００の制御を実行する。ここで、ＣＣＤ４４は駆動されると発熱を開始し、その熱は、レンズユニット１２内のＣＣＤ搭載基板９０、伝熱部９２及び伝熱性弾性部材９４を介し、主としてレンズ光軸方向に沿って、カメラ本体１４のレンズユニット嵌合部に配設された伝熱部９６へ伝導され、更に伝熱部９６と所定位置で当接した放熱フィン９８に伝導され放熱されるとともに、伝熱部９６の別の所定位置で当接した冷却装置１００に伝導され冷却される。このとき、放熱フィン９８及び冷却装置はレンズユニット１２内の温度が所定範囲になるよう制御されている。
【００５０】
ここで、伝熱性弾性部材９４に使用する素材として、例えば伝熱性シリコン（放熱シリコンゲル）や伝熱性エラストマー、銅、アルミ、ヒートパイプ等の金属、を用いれば、好ましい伝熱特性や密着性を得ることができる。またこれらを組み合わせて構成し伝熱効率を向上させるようにしても良い。またここで、好ましくは、レンズユニット１２内に配設する伝熱部９２及び伝熱性弾性部材９４がＣＣＤ４４に当接する面積をＣＣＤ４４の面積の略同等以上とすることで、熱伝導効率を良く行うことができる。
【００５１】
以上説明したように、本実施の形態の撮像素子一体型レンズ交換式カメラ１０によれば、レンズユニット１２がカメラ本体１４にレンズユニット接続部１６を介して接続されると、レンズユニット１２のカメラ本体嵌合部２０に配設されてＣＣＤ４４に直接または伝熱部９２を介して当接する伝熱性弾性部材９４が、カメラ本体１４のレンズユニット嵌合部２２の伝熱部９６に弾性を以って密着して当接し、ＣＣＤ４４及び基板９０等によるレンズユニット１２内で生じた発熱をカメラ本体へ伝導し放熱する。これにより、レンズユニットをカメラ本体に装着する操作のみで煩雑な操作を伴わず簡易に、かつ効率良く、レンズユニットの発熱をカメラ本体に伝導して放熱し、レンズユニット内の温度を所定範囲に保つことができる。また、レンズユニット内に配設されるＣＣＤ４４、基板９０等に適した伝熱性弾性部材９４が予めレンズユニット１２と一体に配設されるため、レンズユニットを交換する際にもユーザーの手を煩わす必要がない。
【００５２】
なお、本実施の形態において、伝熱性弾性部材９４は撮像素子４４へ基板９０及び伝熱部９２を介して当接させたが、伝熱部９２を介さず基板９０のみ介して当接することも可能である。また、例えば基板９０に開口を設けてその開口部に撮像素子を配接し撮像素子は伝熱部に搭載するなど、伝熱性弾性部材９４は伝熱部９２のみを介して撮像素子４４へ当接させても良い。
【００５３】
また、本実施の形態において、伝熱性弾性部材９４は、レンズユニット１２のカメラ本体嵌合部２０に配設したが、カメラ本体１４のレンズユニット嵌合部２２に配設することも可能である。この場合、好ましくは、レンズユニット１２の伝熱部９２はカメラ本体嵌合部２０上のカメラ本体１４への当接面に配設し、伝熱性弾性部材９４をカメラ本体１４のレンズユニット嵌合部２２に配設された伝熱部９６に配設する。これにより、カメラ本体またはカメラ本体の伝熱部またはカメラ本体のレンズユニット接続部の形状もしくは素材の特性に応じた伝熱性弾性部材を配設し、効率良く熱伝導を行うことができる。  
【００５４】
また、伝熱性弾性部材９４をレンズユニット１２及びカメラ本体１４とは独立の部品として構成することも可能である。この場合、レンズユニット１２の伝熱部９２はカメラ本体嵌合部２０上のカメラ本体１４への当接面に配設することが好ましい。これにより、ユーザーは、好みや消耗等の必要に応じて伝熱性弾性部材を交換して使い分けることができる。
【００５５】
また更に、伝熱性弾性部材９４は、レンズユニット１２及びカメラ本体１４の少なくとも一方と着脱自在な機構を以って構成されても良い。これにより、ユーザーは好みや消耗等の必要に応じた伝熱性弾性部材を選択交換できるとともに、伝熱性弾性部材をレンズユニットまたはカメラ本体のいずれかと一体化させ、レンズユニットをカメラ本体に簡易に着脱して使用することができる。
【００５６】
図４は、本発明に係わる撮像素子一体型レンズ交換式カメラ及び撮像素子一体型交換レンズユニットの第２実施形態の要部を示す概略図である。なお、上述した第１実施形態と共通する部材には同一の符号を付し、その詳細な説明は省略する。
【００５７】
同図に示すように、撮像素子一体型レンズ交換式カメラ１０は、レンズユニット１２がカメラ本体１４にレンズユニット接続部１６を介して装着されるよう構成され、装着時にはレンズユニット１２とカメラ本体１４の表面はそれぞれのマウント当接部２４及び２６で当接する。ここでレンズユニット１２は、その内部に主として、撮像レンズ４２、ＣＣＤ４４、前記撮像素子を当接して搭載する基板９０を備えているとともに、そのマウント当接部２４には一端をレンズユニット１２内のＣＣＤ搭載基板９０と当接し他端をレンズユニット１２の外表面上に露呈させた伝熱性弾性部材９４’が配設されている。また一方、カメラ本体１４は、略筐体状の表面に凹状のレンズユニット嵌合部２２が設けられると共に、マウント当接部２６には伝熱部９６’が形成され、その内部には、デジタル信号処理回路６８等が搭載された基板１０２、ＬＣＤ表示部７４、ストロボ制御部１０４などを備えている。
【００５８】
そしてレンズユニット１２がカメラ本体１４へ装着されると、レンズユニット１２のマウント当接部２４に配設された伝熱性弾性部材９４’はレンズユニット１２内のＣＣＤ搭載基板９０及びカメラ本体１４上のマウント当接部２６に配設された伝熱部９６’と弾性を持って密着して当接する。
【００５９】
以上のように構成された本実施の形態の撮像素子一体型レンズ交換式カメラ１０によれば、レンズユニット１２がカメラ本体１４に装着され電気的に接続されると、ＣＣＤ４４が駆動されて発熱し、その発熱はＣＣＤを搭載した基板９０へ、主としてレンズ光軸に対し垂直な面方向に伝導され、前記基板９０の外周周辺に配設されたマウント当接部２４に設けられた伝熱性弾性部材９４’を介し、カメラ本体１４の伝熱部９６’へ伝導される。このように、主としてレンズ光軸に垂直な面方向に、熱伝導を行うことにより、レンズユニット１２のカメラ本体嵌合部２０の内部に伝熱部及び伝熱性弾性部材を配設する必要がなくなり、前記カメラ本体嵌合部２０の光軸方向の長さを減じ、ひいては、カメラ本体１４の光軸方向の厚みを薄くすることができる。またここで、伝熱性弾性部材９４’に使用する素材として伝熱性シリコン（放熱シリコンゲル）や伝熱性エラストマー、銅、アルミ、ヒートパイプ等の金属、を用いれば、好ましい伝熱特性や密着性を得ることができる。またこれらを組み合わせて構成し伝熱効率を向上させるようにしても良い。
【００６０】
なお、本実施例では、伝熱性弾性部材９４’はレンズユニット１２に配設したが、カメラ本体１４のマウント当接部２６に配設しても良い。この場合、レンズユニットのマウント当設部２４には一端をレンズユニット１２内のＣＣＤ搭載基板９０と当接し他端をレンズユニット１２の外表面上に露呈させた伝熱部を配設し、ＣＣＤ搭載基板９０とカメラ本体１４のマウント当接部２６に設けられた伝熱性弾性部材９４’を、伝熱部を介し弾性を持って密着して当接させる。これにより、カメラ本体のマウント当接部の形状もしくは素材の特性等に応じた伝熱性弾性部材を配設し、効率良く熱伝導を行うことができる。
【００６１】
図５は、本発明に係わる撮像素子一体型レンズ交換式カメラ及び撮像素子一体型交換レンズユニットの第３実施形態の要部を示す概略図である。なお、上述した第１及び第２の実施の形態と共通する部材には同一の符号を付し、その詳細な説明は省略する。
【００６２】
同図に示すように、撮像素子一体型レンズ交換式カメラ１０は、レンズユニット１２がカメラ本体１４にレンズユニット接続部１６を介し、ロック機構を以って装着されるよう構成されている。ここでレンズユニット１２は、鏡筒部１８とカメラ本体嵌合部２０から形成され、更に、カメラ本体嵌合部２０にはロック爪１１０が設けられている。またレンズユニット１２内部には主として、撮像レンズ４２、ＣＣＤ４４、前記撮像素子を当接して搭載する基板９０、基板９０に当接する伝熱部９２’’が備えられているとともに、伝熱部９２’’に当接しロック爪１１０内を貫通してロック爪外表面へ露呈する伝熱性弾性部材９４’’が配設されている。一方、カメラ本体１４は、略筐体状の表面に図示しないロック爪係止溝を備えた略凹状のレンズユニット嵌合部２２が設けられると共に、レンズユニット嵌合部２２を覆うように伝熱部９６’’が形成され、更にその内部には、伝熱部９６’’と放熱フィン９８’’で構成されるヒートシンク、デジタル信号処理回路６８等が搭載された基板１０２、ＬＣＤ表示部７４、ストロボ制御部１０４などを備えている。
【００６３】
そしてレンズユニット１２がカメラ本体１４のレンズユニット接続部１６へ嵌合され、回動装着されると、レンズユニットのロック爪１１０はカメラ本体１４のレンズユニット嵌合部に設けられた図示しないロック爪係止溝により係止され、レンズユニット１２とカメラ本体のマウント接点５６及び６０が接続されるとともに、レンズユニット１２のロック爪１１０内に配設された伝熱性弾性部材９４’’はレンズユニット１２内の伝熱部９２’’及びカメラ本体１４上のレンズユニット嵌合部２２に配設された伝熱部９６’’と弾性を持って密着して当接する。
【００６４】
以上のように構成された本実施の形態の撮像素子一体型レンズ交換式カメラ１０によれば、レンズユニット１２がカメラ本体１４にロック機構を以って装着され電気的に接続されると、ＣＣＤ４４が駆動されて発熱し、その発熱はＣＣＤを搭載した基板９０、伝熱部９２’’、ロック爪１１０内に配設された伝熱性弾性部材９４’’を介し、カメラ本体１４のレンズユニット嵌合部２２に配設された伝熱部９６’’、放熱フィン９８’’へ伝導され放熱される。このように、ロック爪を利用してレンズ光軸に垂直な面方向に熱伝導性部材をより広面積で配設することにより、レンズユニットがカメラ本体に確実に固定されるとともに、レンズユニット内で生じる発熱をより効率良くカメラ本体へ伝導し放熱することができる。
【図面の簡単な説明】
【００６５】
【図１】本発明の好ましい実施形態に係る、撮像素子一体型レンズ交換式カメラ及び撮像素子一体型交換レンズユニットの外観を示す図
【図２】撮像素子一体型レンズ交換式カメラのブロック図
【図３】撮像素子一体型レンズ交換式カメラの第１の実施形態の要部の構成を示す断面図
【図４】撮像素子一体型レンズ交換式カメラの第２の実施形態の要部の構成を示す断面図
【図５】撮像素子一体型レンズ交換式カメラの第３の実施形態の要部の構成を示す断面図
【符号の説明】
【００６６】
１０…撮像素子一体型レンズ交換式カメラ、１２…撮像素子一体型交換レンズユニット、１４…カメラ本体、１６…レンズユニット接続部、１８…鏡筒部、２０…カメラ本体嵌合部、２２…レンズユニット嵌合部、２４…マウント当接部（レンズユニット）、２６…マウント当接部（カメラ本体）、３０…レリーズスイッチ、３２…モード切換スイッチ、３４…ストロボ、４２…撮像レンズ、４４…撮像素子（ＣＣＤ）、４６…絞り／フォーカス／ズーム制御部、４８…アナログ処理回路（Ａ／Ｄ）、５０…ＣＣＤ駆動用タイミングジェネレータ、５２…システムメモリ（レンズユニット）、５４…シリアルドライバ（レンズユニット）、５６…マウント接点（レンズユニット）、６０…マウント接点（カメラ本体）、６２…シリアルドライバ（カメラ本体）、６４…ＣＰＵ、６６…システムメモリ（カメラ本体）、６８…デジタル信号処理回路、７０…カードＩ／Ｆ、７２…メモリカードスロット、７４…ＬＣＤ表示部、７６…冷却ファン用ドライバ、７８…冷却ファン、８０…メモリカード、９０…基板、９２,９２’’…伝熱部（レンズユニット）、９４,９４’,９４’’…伝熱性弾性部材、９６,９６’,９６’’…伝熱部（カメラ本体）、９８,９８’’…放熱フィン、１００…冷却装置、１１０…ロック爪
【図１】
2006086752.tif 000003
【図２】
2006086752.tif 000004
【図３】
2006086752.tif 000005
【図４】
2006086752.tif 000006
【図５】
2006086752.tif 000007